(57)【要約】【課題】間接活線工法において容易に電線にジャバラポリ管等の電線防護管を取り付けることができるようにする。【解決手段】電線管挿入用工具２０は、間接活線工法において電線の存在を喚起する電線管を電線に挿入・取り付ける際に用いられ、電線管は絶縁弾性材料で成形されて、その長手方向に沿って切り込み部が形成されている。電線管挿入用工具は第１及び第２の操作部材２１，２２と、第１及び第２の操作部材にその一端部が所定の方向に延びる回転軸回りに回動可能にそれぞれ取り付けられた第１及び第２の作用部材２５，２６と、第１及び第２の作用部材においてその一端部と他端部との間で所定の方向と平行な回転軸回りに回動可能に第１及び前記第２の作用部材を連結するピン部材２７とを有している。【選択図】図１
2008079404.tif 000002
【特許請求の範囲】
【請求項１】
間接活線工法において電線の存在を喚起するための電線管を前記電線に挿入・取り付ける際に用いられる電線挿入用工具であって、
前記電線管は絶縁弾性材料で成形されて、その長手方向に沿って切り込み部が形成されており、
第１及び第２の操作部材と、
前記第１及び前記第２の操作部材にその一端部が所定の方向に延びる回転軸回りに回動可能にそれぞれ取り付けられた第１及び第２の作用部材と、
前記第１及び前記第２の作用部材においてその一端部と他端部との間で前記所定の方向と平行な回転軸回り回動可能に前記第１及び前記第２の作用部材を連結する連結部材とを有することを特徴とする電線管挿入用工具。
【請求項２】
前記第１及び前記第２の操作部材の後端にはヤットコの先端部を装着するための装着アダプターが設けられていることを特徴とする請求項１記載の電線管挿入用工具。
【請求項３】
前記電線管はジャバラ管であり、
前記第１及び前記第２の作用部材の先端部には径方向外側に突起する突起部がそれぞれ形成されていることを特徴とする請求項１又は２記載の電線管挿入用工具。
【請求項４】
前記電線管を前記電線に挿入・取り付ける際、前記電線管の開口端から前記第１及び前記第２の作用部材の先端部が挿入され、前記第１及び前記第２の操作部材が閉じる方向に操作されると、前記第１及び前記第２の操作部材が前記所定の方向に平行な回転軸回りに開く方向に動作して前記切り込み部を開くようにしたことを特徴とする請求項１〜３いずれか１項記載の電線管挿入用工具。
【請求項５】
間接活線工法において、請求項１〜３いずれか１項記載の電線管挿入用工具を用いて電線に電線管を挿入・取り付けるための電線管挿入工法であって、
前記電線管は絶縁弾性材料で成形されて、その長手方向に沿って切り込み部が形成されており、
前記電線管の開口端から前記第１及び前記第２の作用部材の先端部を挿入する第１のステップと、
前記第１及び前記第２の操作部材を閉じる方向に操作して前記第１及び前記第２の操作部材を開く方向に動作させ、前記切り込み部を開く第２のステップと、
前記切り込み部から前記電線に前記電線管を挿入する第３のステップとを有することを特徴とする電線管挿入工法。
【発明の詳細な説明】
【技術分野】
【０００１】
本発明は、間接活線工法において、架空配電線等の電線の存在を喚起するための電線管（例えば、ジャバラポリ管）を電線に挿入・取り付け又電線から電線管を撤去する際に用いられる電線管挿入用工具及びこの工具を用いた電線管挿入工法に関し、特に、電線を防護するための電線防護管を電線に取り付ける際に用いられる電線管挿入用工具及び電線管挿入工法に関するものである。
【背景技術】
【０００２】
一般に、直接活線工法において、架空配電線（以下単に電線と呼ぶ）にジャバラポリ管等の電線管（例えば、電線を防護するための電線防護管）を取り付ける場合、図１０〜図１２に示す工法が用いられる。ジャバラポリ管に電線を挿入する際には、後述する挿入管及びガイドクリップが用いられ、まず、図１０に示すように、ジャバラポリ管１１の開口端に挿入管１２が挿入される。
【０００３】
ジャバラポリ管１１はその周面が蛇腹形状となっており、その長手方向に沿って切り込み部１１ａが形成され、この切り込み部１１ａから電線（図１０には示さず）がジャバラポリ管１１に挿入される。上述の切り込み部１１ａは、ジャバラポリ管の電線からの脱落を防止するため、通常は閉じた状態にあり、ジャバラポリ管１１に電線を挿入するに当たっては、ジャバラポリ管１１の内径よりもその外径が大きい挿入管１２をジャバラポリ管１１の開口端から挿入して、ジャバラポリ管を押し広げて、前述の切り込み部１１ａを開く必要がある。
【０００４】
続いて、電線（例えば、縁線）１３にガイドクリップ１４を取り付けた後（図１１参照）、図１２に示すように、ガイドクリップ１４で電線１３を案内しつつ、図中右側から切り込み部１１ａを介して電線１３をジャバラポリ管１１に挿入して、電線１３にジャバラポリ管１１を取り付ける。
【０００５】
一方、間接活線工法において、電線にジャバラポリ管を取り付ける際には、例えば、ヤットコ等所要の間接活線把持工具によってジャバラポリ管の切り込み部を開いて電線にジャバラポリ管を取り付けるようにしている（例えば、特許文献１参照）。
【特許文献１】特開２００４−３２０９６１号公報
【発明の開示】
【発明が解決しようとする課題】
【０００６】
ところで、間接活線工法によって、電線にジャバラポリ管を取り付ける際には、ヤットコを用いてジャバラポリ管の切り込み部を開いて、この切り込み部から電線をジャバラポリ管に挿入しているものの、一般にヤットコはその把持部（レバー）を握ると先端側（作用部側）が閉じる構成であるため、ジャバラポリ管の切り込み部を開くためには、ヤットコの把持部を開く方向に力を加えて、ヤットコの作用部側（つまり、先端側）を開く必要がある。
【０００７】
しかしながら、間接活線工法において、電柱等に登って通電状態にある電線にジャバラポリ管を取り付けるとなると、ヤットコの把持部（レバー）を開いて、ヤットコの先端部を開方向に動作させる。そして、ジャバラポリ管の切り込み部を開きつつ、この切り込み部から電線をジャバラポリ管に挿入するとなると、作業が極めて行いづらく、その結果、作業員が感電する等の事故が発生するという危険性が増大するという課題がある。
【０００８】
従って、本発明の目的は、間接活線工法において容易に電線にジャバラポリ管等の電線管を取り付けることのできる電線管挿入用工具及びこの工具を用いた電線管挿入工法を提供することにある。
【課題を解決するための手段】
【０００９】
本発明による電線管挿入用工具は、間接活線工法において電線の存在を喚起するための電線管を前記電線に挿入・取り付ける際に用いられ、前記電線管は絶縁弾性材料で成形されて、その長手方向に沿って切り込み部が形成されており、第１及び第２の操作部材と、前記第１及び前記第２の操作部材にその一端部が所定の方向に延びる回転軸回りに回動可能にそれぞれ取り付けられた第１及び第２の作用部材と、前記第１及び前記第２の作用部材においてその一端部と他端部との間で前記所定の方向と平行な回転軸回り回動可能に前記第１及び前記第２の作用部材を連結する連結部材とを有することを特徴とするものである。
【００１０】
本発明の電線管挿入用工具は、前記第１及び前記第２の操作部材の後端にヤットコの先端部を装着するための装着アダプターが設けられている。
【００１１】
本発明では、前記電線管は、例えば、ジャバラ管であり、前記第１及び前記第２の作用部材の先端部には径方向外側に突起する突起部がそれぞれ形成されている。
【００１２】
本発明では、前記電線管を前記電線に挿入・取り付ける際、前記電線管の開口端から前記第１及び前記第２の作用部材の先端部が挿入され、前記第１及び前記第２の操作部材が閉じる方向に操作されると、前記第１及び前記第２の操作部材が前記所定の方向に平行な回転軸回りに開く方向に動作して前記切り込み部を開く。
【００１３】
本発明による電線管挿入工法は、間接活線工法において上述の電線管挿入用工具を用いて電線に電線管を挿入・取り付ける際に用いられ、前記電線管は絶縁弾性材料で成形されて、その長手方向に沿って切り込み部が形成されており、前記電線管の開口端から前記第１及び前記第２の作用部材の先端部を挿入する第１のステップと、前記第１及び前記第２の操作部材を閉じる方向に操作して前記第１及び前記第２の操作部材を開く方向に動作させ、前記切り込み部を開く第２のステップと、前記切り込み部から前記電線に前記電線管を挿入する第３のステップとを有することを特徴とするものである。
【発明の効果】
【００１４】
以上のように、本発明によれば、第１及び第２の操作部材に第１及び第２の作用部材の一端部を所定の方向に延びる回転軸回りに回動可能にそれぞれ取り付け、第１及び第２の作用部材においてその一端部と他端部との間で所定の方向と平行な回転軸回りに回動可能に第１及び第２の作用部材を連結するようにしたので、第１及び第２の操作部材が握られる等によって閉じる方向に操作されると、第１及び第２の作用部は上記の回転軸回りに開く方向に回動することになって、第１及び第２の作用部材の先端部を電線管の開口端から挿入しておけば、電線管に開く方向に力が作用することになって、切り込み部を容易に開くことができる。その結果、間接活線工法において容易に電線に電線管を取り付けることができるという効果がある。
【００１５】
本発明によれば、第１及び第２の操作部材の後端にはヤットコの先端部を装着するための装着アダプターが設けられているので、電線管挿入用工具にヤットコを簡単に装着でき、さらに容易に電線管挿入用工具を操作することができるという効果がある。
【００１６】
本発明によれば、電線管がジャバラ管である場合に、第１及び第２の作用部材の先端部に径方向外側に突起する突起部をそれぞれ形成するようにしたので、電線管を開く際、突起部が蛇腹に引っかかるため、容易に電線管の切り込み部を開くことができるという効果がある。
【発明を実施するための最良の形態】
【００１７】
以下、本発明の実施形態による電線管挿入用工具の一例について図面を参照して説明する。なお、この電線管挿入用工具は、間接活線工法において、電線の存在を喚起するための電線管を電線に挿入・取り付ける際に用いられるものであるが、ここでは一例として、電線の存在を喚起するとともに、電線を防護する電線防護管を電線に挿入・取り付ける場合について説明する。
【００１８】
まず図１を参照すると、図示の電線管挿入用工具（以下単に工具と呼ぶ）２０は、例えば、ヤットコ（図１には示さず）の先端部に取り付けられる。図１（ａ）は工具２０を側方から見た図、図１（ｂ）は工具２０を上方から見た図、図１（ｃ）は工具２０を後方から見た図である。
【００１９】
図１（ａ）〜（ｃ）に示すように、工具２０は第１及び第２の操作部（操作部材）２１及び２２を有しており、後述するように、第１及び第２の操作部２１及び２２にはヤットコの先端部がそれぞれ取り付けられる。これら第１及び第２の操作部２１及び２２の先端部にはそれぞれ第１及び第２の回動部２３及び２４を介して第１及び第２の作用部（作用部材）２５及び２６が連結され、第１及び第２の作用部２５及び２６はそれぞれ第１及び第２の回動部２３及び２４回り（所定の方向回り：図１（ａ）において紙面の表側から裏側に延びる方向回り）に回動可能となっている。
【００２０】
図示のように、第１及び第２の作用部２５及び２６には、その後端と先端との間においてそれぞれ第１及び第２の連結部２５ａ及び２６ａが形成され、第１及び第２の連結部２５ａ及び２６ａはピン部材（連結部材）２７で連結され、第１及び第２の作用部２５及び２６はピン部材２７回り（所定の方向に平行な方向回り）に回動可能となっている。そして、第１及び第２の作用部２５及び２６の先端部にはそれぞれ第１及び第２の突起部２５ｂ及び２６ｂが形成され、これら第１及び第２の突起部２５ｂ及び２６ｂは径方向外側に突出している。
【００２１】
図２も参照すると、図２は上述の工具２０にヤットコ３０を取り付けた状態を示す図であり、ヤットコ３０の先端部がそれぞれ第１及び第２の操作部２１及び２２に取り付けられる（取り付け方法については後述する）。ヤットコ３０は周知のように、後端側の把持レバーを握ると先端側が閉じ、把持レバーを放すとその先端側が開くものである。
【００２２】
ここで再び図１（ａ）を参照すると、いまヤットコの把持レバーを握ると、ヤットコの先端部が閉じる。ヤットコの先端部が閉じると、第１及び第２の操作部２１及び２２も閉じる方向に動くが、第１及び第２の作用部２５及び２６はピン部材２７によって連結され、ピン部材２７回りに回動可能であるから、第１及び第２の作用部２５及び２６の後端側がそれぞれ第１及び第２の回動部２３及び２４回りに回動して閉じる方向に動作すると、第１及び第２の作用部２５及び２６の先端側はピン部材２７回りに開く方向に回動し、この結果、第１及び第２の作用部２５及び２６は開く方向に動くことになる。つまり、ヤットコの把持レバーを握ると、工具２０の先端部は図１（ａ）に示すように開くことになる。
【００２３】
続いて、図２及び図３を参照すると、図２は工具２０を閉じた状態で示す図であり、図３は工具２０を開いた状態で示す図である。ジャバラポリ管１１の切り込み部１１ａを開く際には、ヤットコ３０の把持レバーを握らない状態で、つまり、工具２０を閉じた状態で、ジャバラポリ管１１の開口端からジャバラポリ管１１に工具２０の先端部を挿入する（図２参照）。
【００２４】
続いて、ヤットコ３０の把持レバーを握ると、前述したように、工具２０が開く。工具２０の先端部には径方向外側に突出する突起部２５ｂ及び２６ｂが設けられているから、これら突起部２５ｂ及び２６ｂがジャバラポリ管１１の蛇腹に引っかかり、工具２０が開くにつれて、つまり、ヤットコ３０の把持レバーを握るにつれて、図３に示すように、ジャバラポリ管１１の切り込み部１１ａが開かれることになり、このようにして開かれた切り込み部１１ａから電線（図示せず）を挿入するようにすればよい（つまり、間接活線工法においてジャバラポリ管１１を電線に取り付けるようにすればよい）。
【００２５】
ここで、間接活線工法におけるジャバラポリ管の取り付けについて説明する。図４及び図５を参照すると、図４は電柱を側方から見た図、図５は電柱を正面から見た図である。電柱３１はその高さが約１２メートルであり、その頂部付近には高圧引下線引留金物３２が取り付けられており、その下側には電線支持具（４線用）３３が取り付けられている。
【００２６】
さらに、電柱３１には、低圧引上線３４及び高圧引下線３５が配設され、高圧カットアウト支持アーム３６には変圧器３７が配置されて、この変圧器３７は変圧器取付バンド３７ａによって電柱３１に固定されている。そして、高圧引下線３５は高圧カットアウト３８を介して変圧器３７に引き込まれ、変圧器３７から低圧引上線３４が引き上げられて、引込み線３９に連結される。なお、変圧器３７の下側には、引込専用腕金４０が配設され、電柱３１には、高圧カットアウト操作用足場４１が設けられている。
【００２７】
間接活線工法によって、電線、例えば、高圧引下線３５及び引込み線３９にジャバラポリ管１１を取り付ける際には、図１１〜図１３を用いて説明した直接活線工法における挿入管及びガイドクリップを用いることはできない。このため、ここでは、前述した工具２０を用いてジャバラポリ管１１の切り込み部１１ａを開いて、この切り込み部１１ａから電線をジャバラポリ管１１に挿入する。
【００２８】
まず、工具２０をヤットコ３０に取り付ける（取り付け方法について後述する）。そして、ヤットコ３０の把持レバーを把持しない状態（つまり、握らない状態）で、工具２０の先端側（つまり、第１及び第２の作用部２５及び２６）をジャバラポリ管１１の開口端からジャバラポリ管１１に挿入する。続いて、ヤットコ３０の把持レバーを握ると、ヤットコ３０の先端部は閉じ、これによって、第１及び第２の作用部２５及び２６が開く方向に動作する。
【００２９】
第１及び第２の作用部２５及び２６が開くにつれて、第１及び第２の突起部２５ｂ及び２６ｂがジャバラポリ管１１の蛇腹に引っかかって、ジャバラポリ管１１に開く方向の力が作用する。そして、第１及び第２の作用部２５及び２６がさらに開かれると、切り込み部１１ａが開く。切り込み部１１ａを開いた状態とした後、切り込み部１１ａから電線を挿入し、ジャバラポリ管１１を電線に取り付ける。
【００３０】
このようにして、工具２０を用いることによって、ヤットコ３０の把持レバーを把持すれば、工具２０によってジャバラポリ管１１の切り込み部１１ａを容易に開くことができ、この切り込み部１１ａから電線を挿入するようにすればよく、間接活線工法においても簡単に電線にジャバラポリ管１１を取り付けることができる。
【００３１】
続いて、工具２０をヤットコ３０に取り付ける際に用いられる取付アダプターについて説明する。なお、以下の説明では、取付アダプターを用いて工具２０の代わりにラジオペンチをヤットコに取り付ける例について説明するが、工具２０についても同様にして取付アダプターを用いてヤットコに取り付けることができる。
【００３２】
図６を参照すると、図６は取付アダプターを示す斜視図であり、取付アダプター５０は筐体部５１を有しており、この筐体部５１の底外面にはラジオペンチを構成するラジオペンチ部５２が固定されている。
【００３３】
筐体部５１の一面（側面）は開放されて、筐体部５１内には挿入空間５３が規定されている。また、筐体部５１の上面には図中上方に延びるシリンダー部５４が形成され、このシリンダー部５４の内周面にはネジが切られている。そして、このシリンダー部５４にはボルト体５５が螺合され、ボルト体５５を回転すると、ボルト体５５はシリンダー部５４に沿って上下方向に移動する。
【００３４】
続いて、図７及び図８を参照すると、図７及び図８はそれぞれ取付アダプターを開口端側から見た図であり、図７に示す状態においては、ボルト体５５は上方に移動されており、一方、図８に示す状態では、ボルト体５５は下方に移動されて、その先端部５５ａが挿入空間５３に突出している。
【００３５】
取付アダプター５０にヤットコを取り付ける際には、図７に示す状態において、取付アダプター５０の開口端から挿入空間５３にヤットコの先端部を挿入する。そして、ヤットコの先端部を挿入空間５３に挿入した後、例えば、手動でボルト体５５を回転させて、図８に示す状態とする。つまり、ボルト体５５の先端部５５ａが挿入空間５３に突出した状態とする。
【００３６】
図８に示す状態にすると、ヤットコの先端部はボルト体５５の先端部５５ａと筐体部５１の内底面との間で挟持されることになって、挿入空間５３からヤットコの先端部が抜けることがなくなる。
【００３７】
ラジオペンチとして用いる際には、別の取付アダプターにヤットコの他方の先端部を取り付けることになる。つまり、図９に示すように、一対の取付アダプター５０をそれぞれヤットコ３０の先端部に前述したようにして取り付けるようにすればよい。
【００３８】
なお、一対の取付アダプター５０にはそれぞれラジオペンチ部５２ａ及び５２ｂが取り付けられており、これらラジオペンチ部５２ａ及び５２ｂによってラジオペンチが構成される。そして、ヤットコ３０を開けばラジオペンチも開き、ヤットコ３０を閉じればラジオペンチも閉じる。
【００３９】
上述の説明から明らかなように、図１で説明した工具２０の第１及び第２の操作部２１及び２２の後端にそれぞれ前述の取付アダプター５０を備えるようにすれば、これら取付アダプター５０にヤットコ３０の先端部を挿入して、前述したようにして、ヤットコ３０の先端部と取付アダプター５０とを連結すると、ヤットコ３０と工具２０とを簡単に接続することができる。そして、ヤットコ３０を開けば工具２０が閉じ、ヤットコ３０を閉じれば工具２０が開くことになる。
【図面の簡単な説明】
【００４０】
【図１】本発明の実施の形態による電線管挿入用工具の一例を示す図であり、（ａ）は電線管挿入用工具を側方から見た図、（ｂ）は電線管挿入用工具を上方から見た図、（ｃ）は電線管挿入用工具を後方から見た図である。
【図２】図１に示す電線管挿入用工具を閉じた状態でジャバラポリ管に挿入する状態を示す図である。
【図３】ヤットコを握って電線管挿入用工具を開いてジャバラポリ管の切り込み部を開いた状態を示す図である。
【図４】電柱を側方から見た図である。
【図５】電柱を正面から見た図である。
【図６】本発明の実施の形態による電線管挿入用工具で用いられる取付アダプターを示す斜視図である。
【図７】取付アダプターをボルト体を上げた状態で開口端側から見た図である。
【図８】取付アダプターをボルト体を下げた状態で開口端側から見た図である。
【図９】一対の装着アダプターにそれぞれヤットコの先端部を挿入した状態を側方から示す図である。
【図１０】直接活線工法においてジャバラポリ管の開口端に挿入管を挿入した状態を示す図である。
【図１１】電線にガイドクリップを取り付けた状態を示す図である。
【図１２】ガイドクリップで電線を案内して電線にジャバラポリ管を挿入する状態を示す図である。
【符号の説明】
【００４１】
２０  電線管挿入用工具
２１，２２  操作部
２３，２４  回動部
２５，２６  作用部
２５ａ，２６ａ  連結部
２５ｂ，２６ｂ  突起部
２７  ピン部材
【図１】
2008079404.tif 000003
【図２】
2008079404.tif 000004
【図３】
2008079404.tif 000005
【図４】
2008079404.tif 000006
【図５】
2008079404.tif 000007
【図６】
2008079404.tif 000008
【図７】
2008079404.tif 000009
【図８】
2008079404.tif 000010
【図９】
2008079404.tif 000011
【図１０】
2008079404.tif 000012
【図１１】
2008079404.tif 000013
【図１２】
2008079404.tif 000014